(57)【要約】【課題】安価であって、且つ、大型化を防止できる給水装置を提供すること。【解決手段】給水装置１は、モータ１２ａを有するポンプ１２と、ポンプ１２の一次側又は二次側に設けられ、圧力、流量及び温度の少なくとも一を検出可能な検出装置１４と、多色に発光可能なＬＥＤ３２を有する報知手段２１と、ＬＥＤ３２で発光する複数の色に対して、ポンプ１２の駆動状況を割り当てた情報を記憶する記憶部２２と、検出装置１４で検出された情報に基づいてモータ１２ａを制御してポンプ１２を駆動するとともに、ポンプ１２の駆動状況に基づいて、記憶部２２に記憶された色でＬＥＤ３２を発光させる制御部２４と、を備える。【選択図】      図１
2016205312.tif 000002
【特許請求の範囲】
【請求項１】
モータを有するポンプと、
前記ポンプの一次側又は二次側に設けられ、圧力、流量及び温度の少なくとも一の情報を検出可能な検出装置と、
多色に発光可能なＬＥＤを有する報知手段と、
前記ＬＥＤで発光する複数の色に対して、前記ポンプの駆動状況を割り当てた情報を記憶する記憶部と、
前記検出装置で検出された情報に基づいて前記モータを制御して前記ポンプを駆動するとともに、前記ポンプの駆動状況に基づいて、前記記憶部に記憶された色で前記ＬＥＤを発光させる制御部と、
を備えることを特徴とする給水装置。
【請求項２】
前記記憶部は、前記モータ、前記ポンプ、前記検出装置及び前記制御部の異常を判断する情報、並びに、前記ＬＥＤで発光する複数の色に対して前記モータ、前記ポンプ、前記検出装置及び前記制御部の異常状況を割り当てた情報が記憶され、
前記制御部は、前記記憶部に記憶された前記モータ、前記ポンプ、前記検出装置及び前記制御部の異常を判断する情報から、前記モータ、前記ポンプ、前記検出装置及び前記制御部の異常を判断し、当該異常状況に基づいて、前記記憶部に記憶された色で前記ＬＥＤを発光させる、ことを特徴とする請求項１に記載の給水装置。
【請求項３】
前記記憶部は、前記ＬＥＤで発光する複数の色の点灯、点滅及び消灯に前記ポンプの駆動状況及び前記異常状況が割り当てた情報を記憶することを特徴とする請求項２に記載の給水装置。
【請求項４】
前記報知手段、前記記憶部及び前記制御部が一体に設けられた制御盤と、
前記ポンプ、前記検出装置及び前記制御盤を支持するベースと、
をさらに備えることを特徴とする請求項１に記載の給水装置。
【発明の詳細な説明】
【技術分野】
【０００１】
本発明は、水を二次側に給水する給水装置に関する。
【背景技術】
【０００２】
水を供給する給水装置として、例えば、ポンプ、モータ、検出装置及び制御盤等がベース上に一体に設けられた給水装置が知られている（例えば、特許文献１参照）。このような給水装置は、制御盤に赤又は緑の単色のＬＥＤにより構成される報知手段を備え、報知手段のＬＥＤを点灯、点滅又は消灯することによってポンプ状況を報知する技術が知られている。
【先行技術文献】
【特許文献】
【０００３】
【特許文献１】特開２００９-２７０４６２号公報
【発明の概要】
【発明が解決しようとする課題】
【０００４】
上述した給水装置では、以下の問題があった。即ち、ポンプ状況として、通常運転、凍結防止運転及び省エネ運転等のポンプの駆動状況や、ポンプ故障、電源異常、センサ故障、モータ故障及び制御盤故障等の各構成品の故障や異常である異常状況がある。
【０００５】
しかし、単色のＬＥＤを用いた場合、ポンプ状況を細分化して報知することが困難である。例えば、報知手段として、ポンプ状況の数に応じてＬＥＤの数を増やすことも考えられるが、制御盤が大型化となるとともに、製造コストが増加する。また、報知手段に液晶表示部を用いる構成も考えられるが、製造コストが増加する。
【０００６】
そこで本発明は、安価であって、且つ、大型化を防止できる給水装置を提供することを目的としている。
【課題を解決するための手段】
【０００７】
前記課題を解決し目的を達成するために、本発明の給水装置は次のように構成されている。
【０００８】
本発明の一態様として、モータを有するポンプと、前記ポンプの一次側又は二次側に設けられ、圧力、流量及び温度の少なくとも一を検出可能な検出装置と、多色に発光可能なＬＥＤを有する報知手段と、前記ＬＥＤで発光する複数の色に対して、前記ポンプの駆動状況を割り当てた情報を記憶する記憶部と、前記検出装置で検出された情報に基づいて前記モータを制御して前記ポンプを駆動するとともに、前記ポンプの駆動状況に基づいて、前記記憶部に記憶された色で前記ＬＥＤを発光させる制御部と、を備える。
【発明の効果】
【０００９】
本発明によれば、安価であって、且つ、大型化を防止できる給水装置を提供することが可能となる。
【図面の簡単な説明】
【００１０】
【図１】本発明の一実施形態に係る給水装置の構成を示す斜視図。
【図２】同給水装置に用いられる検出装置及び制御盤の構成を模式的に示す説明図。
【発明を実施するための形態】
【００１１】
以下、本発明の一実施形態に係る給水装置１を、図１及び図２を用いて説明する。  
図１は本発明の第１の実施形態に係る給水装置１の構成を示す斜視図、図２は給水装置１に用いられる検出装置１４及び制御盤１５の構成を示す上面図である。
【００１２】
図１に示すように、給水装置１は、基部１０と、基部１０に設けられた流路部１１と、流路部１１の中途部に設けられたポンプ１２と、流路部１１の中途部に設けられたアキュムレータ１３と、流路部１１上に設けられた検出装置１４と、ポンプ１２の制御を行なう制御盤１５と、を備えている。
【００１３】
また、給水装置１は、流路部１１、ポンプ１２、アキュムレータ１３、検出装置１４及び制御盤１５を覆うカバー部材１６が基部１０上に設けられる。
【００１４】
このような給水装置１は、基部１０上に流路部１１、ポンプ１２、アキュムレータ１３、検出装置１４及び制御盤１５が設けられ、カバー部材１６により基部１０上が覆われることで、各構成品が基部１０上に一体に設けられる。
【００１５】
給水装置１は、制御盤１５によりポンプ１２が制御されることで、供給対象の流体である水を二次側に供給（給水）可能に形成されている。
【００１６】
流路部１１は、基部１０上に設けられ、その一次側が給水源に接続されるとともに、その二次側が給水先に接続される、配管部である。流路部１１は、例えば、その中途部に、自給用の自吸室が形成される。
【００１７】
ポンプ１２は、流路部１１の中途部であって、自吸室の一次側に配置される。ポンプ１２は、制御盤１５に信号線を介して接続されたモータ１２ａを備えている。ポンプ１２は、モータ１２ａが駆動することで、流路部１１内の水を揚水可能に形成されている。アキュムレータ１３は、例えば、流路部１１であって、且つ、ポンプ１２の二次側に設けられる。
【００１８】
検出装置１４は、流路部１１であって、且つ、ポンプ１２の二次側に設けられる。検出装置１４は、ポンプ１２から吐出された水の圧力、流量又は温度等を検出可能に構成されている。検出装置１４は、信号線９９を介して制御盤１５に接続される。検出装置１４は、検出した情報を、信号線９９を介して制御盤１５に送信可能に構成されている。
【００１９】
制御盤１５は、報知手段２１と、記憶部２２と、通信インターフェイス（通信Ｉ／Ｆ）２３と、制御部２４と、を備えている。また、制御盤１５は、外部電力を供給するための電源部２５を備えている。
【００２０】
報知手段２１は、電源のＯＮ／ＯＦＦを表示する第１表示部３１と、ポンプ状況を表示する第２表示部３２と、を備えている。第１表示部３１は、単色、例えば赤色のＬＥＤにより構成される。第１表示部３１は、点灯及び消灯によって、電源のＯＮ／ＯＦＦを報知可能に形成されている。
【００２１】
第２表示部３２は、多色、例えば、赤色、青色及び緑色の三色のＬＥＤにより構成される。第２表示部３２は、赤色、青色及び緑色の組み合わせにより複数の発光が可能に構成される。
【００２２】
例えば、第２表示部３２は、赤色及び青色の点灯によって紫色に、赤色及び緑色の点灯によって橙色に、青色及び緑色の点灯によって水色に、赤色、青色及び緑色の点灯により白色に発光可能に構成される。第２表示部３２は、これら複数の発色で点灯、点滅して発光するか、又は、消灯可能に構成される。
【００２３】
記憶部２２は、ポンプ１２の駆動プログラムが記憶されている。ポンプ１２の駆動プログラムとして、例えば、ポンプ１２を目標圧力となるように運転する通常運転、ポンプ１２の圧力を目標圧力よりも低い省エネ運転及び外気温が低いときに凍結を防止するための、小水量で運転する凍結防止運転が記憶部２２に記憶される。
【００２４】
記憶部２２は、ポンプ１２の運転状況や各種異常状況であるポンプ状況を判断する閾値が複数記憶されている。記憶部２２は、第２表示部３２の各色の発光に対応したポンプ状況が記憶されている。記憶部２２は、ポンプ状況、即ち、駆動したポンプ１２の運転状況や発生した各構成品の故障及び異常等の異常状況を記憶可能に構成されている。
【００２５】
記憶部２２は、第２表示部３２で発光する複数の色に対して、ポンプ状況を割り当てた情報が記憶されている。例えば、記憶部２２には、第２表示部３２の赤色がポンプ１２の故障時に点灯、紫色がモータ１２ａの故障時に点灯、橙色が検出装置１４の故障に点灯、緑色が電源異常時に点灯、白色が制御盤１５の故障時に点灯、水色が圧力低下時に点灯、青色が凍結防止運転時に点灯する、といった、第２表示部３２の発光情報が記憶されている。
【００２６】
通信Ｉ／Ｆ２３は、通信ケーブル等を介して外部の情報処理装置に接続可能に形成されている。
【００２７】
制御部２４は、検出装置１４で検出した圧力、流量及び温度に基づいて、記憶部２２に記憶された駆動プログラムによりポンプ１２を駆動可能に形成されている。
【００２８】
制御部２４は、記憶部２２に記憶された各閾値と検出装置１４で検出された各種情報、制御盤１５内の電流及び電圧値とを比較することで、各構成品の異常状況を判断する機能を有している。制御部２４は、判断した各異常状況及び現在のポンプ１２の駆動状況であるポンプ状況に応じて、第２表示部３２を記憶部２２に記憶された色で発光させる機能を有している。
【００２９】
また、制御部２４は、各異常状況及び過去のポンプ１２の駆動状況等の情報を、通信Ｉ／Ｆ２３に接続された情報処理装置に送信可能に構成される。
【００３０】
このように構成された給水装置１によれば、報知手段２１の第２表示部３２に赤色、青色及び緑色の三色に発光可能な多色ＬＥＤを用い、各色の組み合わせによって多色に発光可能とし、且つ、各色の点灯、点滅及び消灯によって、ポンプ状況を一つの第２表示部３２で表示可能となる。
【００３１】
これにより、報知手段２１に用いるＬＥＤ（表示部）の数を増加させることなく、多数のポンプ状況を判別可能とすることが可能となり、制御盤１５の大型化及び製造コストの増加を防止することができる。結果、基部１０上に制御盤１５を設置するスペースが小さくて良く、給水装置１の製造コストの増加を防止及び給水装置１の大型化を防止できる。
【００３２】
このように構成された給水装置１によれば、ポンプ状況を表示する第２表示部３２に多色で点灯、点滅及び消灯することが可能な多色ＬＥＤを用い、この第２表示部３２を用いて複数のポンプ状況を表示することで、ポンプ状況の把握することが容易となる。また、第２表示部３２により複数のポンプ状況を報知可能となることから、第２表示部３２の数が少なくて良く、給水装置１が安価となり、また、給水装置１の大型化が防止できる。
【００３３】
なお、本発明は前記実施の形態に限定されるものではない。例えば、上述した例では、第２表示部３２に３色のＬＥＤを用いる構成を説明したが、表示を要する複数のポンプ状況を表示であれば、３色に限らず、適宜設定可能である。
【００３４】
また、上述した例では、検出装置１４は、圧力、流量及び温度を検出可能な構成を説明したがこれに限定されない。例えば、検出装置１４は、圧力及び流量のみを検出可能な構成であってもよく、他の情報を検出可能な構成であってもよい。また、検出装置１４は、各情報を検出可能に複数設けられる構成であってもよい。
【００３５】
また、上述した例では、第２表示部３２の発色やポンプ状況は例示に過ぎず、給水装置１の機能等により適宜設定可能である。この他、本発明の要旨を逸脱しない範囲で種々変形実施可能である。
【符号の説明】
【００３６】
１…給水装置、１０…基部、１１…流路部、１２…ポンプ、１２ａ…モータ、１３…アキュムレータ、１４…検出装置、１５…制御盤、１６…カバー部材、２１…報知手段、２２…記憶部、２３…通信インターフェイス、２４…制御部、２５…電源部、３１…第１表示部、３２…第２表示部（ＬＥＤ）、９９…信号線。
【図１】
2016205312.tif 000003
【図２】
2016205312.tif 000004